(57)【要約】【課題】椅子の脚先にはゴムキャップを嵌めて滑りを止めているが、写真立てや皿立てなど軽量な小物品には何の対策も為されていない。また、炊飯器の様々な湾曲する蓋上に安定して載置できる蒸し器１０としたいし、これらの対策に新規な滑動防止策を得たい。【解決手段】脚体のある小物品の脚先には嵌着させ、写真立てや皿立て等のスタンド台用には載置させ、炊飯器利用の蒸し器１０には、蒸し器１０の受け皿体７の裏面にと、上記したそれぞれの物品の取付先下端に適合する取付先係合部１を設け、その取付先係合部１の中心から放射状に複数の細パイプ挿入棒部２を突出させ、それら細パイプ挿入棒部２には軟質細パイプ３をそれぞれ挿着してなることを特徴とする取付物品の滑動防止部材。【選択図】図１
2012035023.tif 000002
【特許請求の範囲】
【請求項１】
被滑り止め物品の最下部に、固設又は載置させて使用するための取付先係合部（１）の周囲に、略同一平面上で、かつ、基本的には均等間隔で放射状に突出する複数本の細パイプ挿入棒部（２）を設け、当該各細パイプ挿入棒部（２）には、それぞれ軟質細パイプ（３）を挿入して成ることを特徴とする取付物品の滑動防止部材。
【請求項２】
細パイプ挿入棒部（２）の断面を、平たい矩形状とした請求項１に記載の取付物品の滑動防止部材。
【請求項３】
軟質細パイプ（３）の外径を、大小異にし、細パイプ挿入棒部（２）に挿入させた細い軟質細パイプ（３ａ）を中にして、太い軟質細パイプ（３ｂ）を重ねて挿入した請求項１又は請求項２に記載の取付物品の滑動防止部材。
【請求項４】
取付先係合部（１）を挟んで、片側に細い軟質細パイプ（３ａ）を、その反対側に太い軟質細パイプ（３ｂ）を配設するように構成した請求項１乃至請求項３のいずれかに記載の取付物品の滑動防止部材。
【請求項５】
軟質細パイプ（３）の材質を、シリコーン系合成樹脂製とした請求項１乃至請求項４のいずれかに記載の取付物品の滑動防止部材。
【請求項６】
被滑り止め物品が、複数の脚を有する机、椅子などの各脚部先端用である請求項１乃至請求項５のいずれかに記載の取付物品の滑動防止部材。
【請求項７】
被滑り止め物品が、イーゼル、写真立て、皿立てなどスタンド用である請求項１乃至請求項５のいずれかに記載の取付物品の滑動防止部材。
【請求項８】
炊飯器の蓋体（４）の蒸気排出口上に載置し、炊飯時の排出蒸気を利用するために被蒸し物（５）を収容するため上記炊飯器の蓋体（４）上の上記蒸気排出口に対応した蒸気導入口（６）を有する受け皿体（７）と、蒸気廃棄口（８）を有する上蓋（９）とで成る蒸し器（１０）において、該蒸し器（１０）を被滑り止め物品とし、上記受け皿体（７）の裏面側から、取付先係合部（１）を結合させた請求項１乃至請求項５のいずれかに記載の取付物品の滑動防止部材。
【請求項９】
取付先係合部（１）を、蒸気導入口（６）を形成する輪体部（１１）と成し、該輪体部（１１）の外周から細パイプ挿入棒部（２）を突出させるものとした請求項８記載の取付物品の滑動防止部材。
【請求項１０】
軟質細パイプ（３）の外径を、大小２種と異にして、かつ、輪体部（１１）を挟んで一方側に細い軟質細パイプ（３ａ）を、反対側には太い軟質細パイプ（３ｂ）を配設させるように構成した請求項８又は請求項９記載の取付物品の滑動防止部材。
【請求項１１】
受け皿体（７）には、平板状網体（１２）を有するものとし、上記受け皿体（７）の裏面には、各細パイプ挿入棒部（２）の先端よりも、上記受け皿体（７）の周辺部に近い方に小突出部分（１３）を設け、各細パイプ挿入棒部（２）から露出する各軟質細パイプ（３）の先端近傍部分を、僅かに押し曲げ下げ得るように構成した請求項８乃至請求項１０のいずれかに記載の取付物品の滑動防止部材。
【発明の詳細な説明】
【技術分野】
【０００１】  この発明は、机や椅子などのように、脚を有する家庭用品の脚先や、イーゼル、写真立て、皿立てなどのスタンドなど、更には、炊飯器上に載置して炊飯と同時に卵などを蒸す蒸し容器が、湾曲する炊飯器の蓋上を滑って蒸気排出口からずれることを防ぐなど、被取付物品の最下部に固設させるか又は被取付物品を載置させて、置き場所面との間の滑りを防止しようとする部材に関するものである。
【背景技術】
【０００２】  家庭用品の一般的な滑動防止策は、椅子・机など比較的重量が有って脚を有する家庭用品の脚先にはゴム製のキャップなどを嵌めているが、イーゼルや写真立て、皿立てなどには特段の滑動防止策はなされていないのが実態である。前者は重量物が載るので、あまり滑る虞はないが、後者は時として風で飛ばされたり向きが変わったりするし、大事な飾り皿を破損しては大変である。【０００３】  また、炊飯器利用の蒸し器の場合は、炊飯器の構造上、蒸気排出口が炊飯器の蓋上の一部に開口されている。したがって、排出熱蒸気を利用する蒸し器は、炊飯器の蓋上に載置して用いるが、最近の炊飯器の蓋上は意匠上のこともあって前方に湾曲しているから蒸し器を安定して炊飯器上に使用状態を保つよう載置することが難しいのが現実である。【０００４】  昔から滑り止め対策として見受けられるのは、当該接触面に剛性の凹凸条なり、リブを多設するか、逆に弾力のあるゴムや、ゴムとポリブタジェンとの混合物、シリコーン・アクリルエラストマーなどによる面板を取り付けるなり、変性ビニル系樹脂エマルジョンから形成される滑り止め塗装膜を有するシートなりを用いていた。対象物が布状のようなものなら熱可塑性エラストマーやポリオレフインとゴムの混合物や、シリコーン変性ポリオレフインなどをフロー剤として採用している。【０００５】  この発明の対象物品は、椅子・机等比較的重量が大きいものから１ｋｇ未満のものまで全般に亘るが、上記したように従来、軽量なものには対策されていない。そこで、小物の家庭用品について滑動防止に関する先願を調べて見たが、従来法である凹凸やゴム類材の採用のみで、炊飯器利用の蒸し器の場合以外は、新規な滑動防止策は見当たらなかった。【０００６】  しかし、炊飯器利用の蒸し器については数々の先願が見受けられたので、その内の代表的なものを示すと、例えば、卵を１〜２個入れられる大きさの耐熱プラスチック製円筒状容器とし、その下方に多数の小孔を有する卵載置用の棚板を一体的に設け、上部に多数の小孔を有する縁付きの蓋を備えて成る考案の名称「電気圧力式炊飯器用の卵茹で器」というものがある。（例えば、特許文献１参照。）。【０００７】  また、鍋状本体の底面の略中央に、フランジで囲繞された蒸気導入孔が穿設され、蒸気導入孔と側壁の間の底面が、鶏卵の表面曲線よりも小となる局率半径を有したものとしており、蓋体には蒸気抜孔が穿設され、鍋状本体の他に、中央部に蒸気導入孔を有した軟質で吸水性を有する素材でなる吸湿体があり、これを鍋状本体の底面に重ねて用いる発明の名称「炊飯器用茹卵器」というものがある。（例えば、特許文献２参照。）。
【先行技術文献】
【０００８】
【特許文献】
【０００９】
【特許文献１】登録実用新案第３０７３２３２号公報（３〜４頁、図１、図２）
【特許文献２】特開２００５−３４９０７４号公報（３〜４頁、図１、図３）
【発明の概要】
【発明が解決しようとする課題】
【００１０】  従来の重量物、例えば人間が座るような椅子の脚先には、ゴム製キャップなどを嵌めて滑りを止めているが、軽量物には何の対策も為されてはいない。写真立てや皿立てなどにも配慮が全くない。したがって、これらに対する従来の滑り防止策以外の新規な手段についての先願は全く見受けられなかった。この発明は、簡単な構成で、これらの小物品でも素晴らしく効果の挙がる滑動防止策を提供しようとするものである。【００１１】  ところで、炊飯器利用の蒸し器については前出の先願があるので、先ずこれら先願の問題点を検討する。上述の特許文献１は、その円筒状容器の形状を丁度コップを逆さまにして炊飯器の蒸気排出口上に載置するようなものであり、確かに構成が比較的簡単ゆえに、コストは安価に提供できようが、問題は炊飯器の蓋上における載置の安定性にある。【００１２】  特に、最近の炊飯器の蓋の上面形状は、前方に湾曲面状に傾いているものが多いので、なお更、転倒し易いのである。倒れぬまでも、炊飯器の蓋上を滑って蒸気排出口上から逸脱してしまう虞がある。また、円筒状容器内に生じた水滴が炊飯器の蓋上に流出し、炊飯器上を濡らすことになることも考えられる。【００１３】  特許文献２は、特許文献１に見るような炊飯器の蓋上の濡れや、滑り防止として、容器である鍋状の本体の底面にある蒸気導入口の周囲には上方に屈曲して形成されているフランジを有しているから、本体内に生じた水滴が炊飯器の蓋上には流出しないとしている。【００１４】  また、たとえ水滴が蒸気導入口壁から炊飯器の蓋上に伝え落ちても、炊飯器の蓋との間に別体として軟質な吸湿体が敷いてあるから、蓋上における滑り止め効果と共に、水滴はそこに吸収されて炊飯器の蓋上を濡らす心配はないとしている。確かに、水滴で炊飯器上の濡れる虞は解決できるであろうが、鍋状の容器本体とは別物として、大きく広げる吸湿体を用いること自体、水洗は容易であるとしても容器と一体でないと何かと不便である。【００１５】  この発明は、上記特許文献１のような炊飯器の蓋上における載置安定性の不安を解消すると共に、上記特許文献２の吸湿体を不要として、しかも、炊飯器の蓋上の形状、すなわち、様々な湾曲性のものでも十分に対応でき、かつ、構造が簡単で蒸し器と一体構成として従来にない滑動防止性を有する新規な滑り防止策を創出するのが目的である。
【課題を解決するための手段】
【００１６】  この発明の構成を、後出の各図面に基づき説明するが、形状は異なっても同一機能を有する部分には同一符号で示したので承知されたい。また、一図面において同一符号のものを複数有するものでも、全部に符号を付けずに代表的な部分だけに付したり、図示上で他部分のために当該部分が隠れる場合は無理な符号表示を避けた。なお、この発明の各種構成の説明を、取付物品別とし、その順序を当該図番順にしたがって説明する。【００１７】  先ず、脚状体を有する物品から進めるが、この項において、この発明の主要部である細パイプ挿入棒部２と、それに挿入する軟質細パイプ３について詳述する。
図１及び図２に示すように、脚状体を有する物品に設けられている数本の脚体の脚先には、丁度よく嵌着する形状と大きさとした凹部１４を有する取付先係合部１とし、その底裏に、取付先係合部１の中心から４方へ対角線上を放射状に細パイプ挿入棒部２を取付先係合部１とは一体として突出させたものとした。【００１８】  なお、取付先係合部１の凹部１４の形状を正方形として描いたが、取付物品の脚先形状に合わせさえすればよいことは言うまでもない。
この図例では、取付先係合部１の外形状も正方形としているから、当然ながら細パイプ挿入棒部２同士は、それぞれ均等間隔で放射状に配置されることになる。しかし、取付先係合部１の形状が長方形ならば、その配置間隔は両短辺側同士では同じで、両長辺側同士も同じとなるが、短辺側と長辺側とでは間隔が異なることになる。【００１９】  勿論、図示省略したが、長方形の裏側に長辺側だけを寄せて正方形と同じように均等間隔に配置することも容易である。
なお、この発明の細パイプ挿入棒部２と、それに挿入する軟質細パイプ３も、脚体の脚先に嵌着させる凹部１４を有する取付先係合部１と共に、対象物が椅子など人間が座ることによって大きく荷重が掛かる場合のものと、小物物品のように軽量品の場合とは、その荷重に当然、適した大きさや材質のものを採用すればよいことは言うまでもない。【００２０】  また、図１及び図２では細パイプ挿入棒部２を４本としているが、取付先物品が軽量なら４本で十分である。もっとも、軽量としても比較的重い場合は、蒸し器１０に用いられる受け皿７の例ではあるが、図８の左側の方に見るように、軟質細パイプ３の太さを異なる例えば２種として用意し、その内の細い軟質細パイプ３ａを先に細パイプ挿入棒部２へ挿入させておき、その上に太い軟質細パイプ３ｂを重ねて被せるように挿入させると、二重となって弾力性や反発力が補強されクッション性の向上となる。【００２１】  更にまた、取付先物品の置き場所が、少し傾斜しているところなら、図８のように取付先係合部１（図８では輪体部１１）を挟んで、片側に細い軟質細パイプ３ａを、その反対側に太い軟質細パイプ３ｂを配設するように構成させ、図８にて左側の太い軟質細パイプ３ｂを配設した方を傾斜する下方側として傾斜面上に載置すると効果が大きくなる。【００２２】  なお、軟質細パイプ３の材質を、表面摩擦性や軟性と共に弾力性に優れていて、総合的に最も滑り止め効果が高いと思われるシリコーン系合成樹脂製とすることが好ましい。
以上がこの発明の主要部である細い軟質細パイプ３ａと太い軟質細パイプ３ｂである軟質細パイプ３の説明である。【００２３】  なおまた、細パイプ挿入棒部２を、各図示例では薄い板状体として示したが、丸棒状体としても構わない。しかしながら、取付物品として比較的軽量品を対象とする場合は、軟質細パイプ３の断面形状である円形復元力を活かすために、細パイプ挿入棒部２を薄い板状体とし、かつ、取付物品に対し平面状に配設する方が後述する理由で好ましい。【００２４】  勿論、取付物品が椅子のように大きい荷重が掛かるものの場合は、軟質細パイプ３の内径と共に外径も大きいものとし、細パイプ挿入棒部２の材質も硬質なものとするよう考慮するなり、厚めの板状体とすればよいことは言うまでもなかろう。【００２５】  次に、図３に示す軟質細パイプ３をＹ字状に配設する写真立て、皿立てなどのスタンド台などに対応する滑動防止部材について説明する。これは対象品が比較的軽重量品なので軟質細パイプ３は３本で十分である。したがって、Ｙ字状となり、均等間隔配設にすることもできるが、ならぬ場合のものもある。そして、いずれも対象品を、スタンド台と共に取付先係合部１である板体１５上に載置することによって滑動防止をするものである。【００２６】  これらは、図示省略した載置対象品、例えば写真立ての前面額縁の下辺を前方突き当て１６の内側に、写真立ての額縁裏に有るスタンド体の下辺を後方突き当て１７の内側に当接させて、板体１５上に載置させ使用するものである。【００２７】  図４に示すのは、飾り大皿用の皿立てに軟質細パイプ３を設置した例である。この例では、蝶番１８を上下に有してハ字状に開き起立させて用いる大皿用の皿立て自体が取付先係合部１となり、図示例のように、大皿用の皿立ては、通常の写真立てよりも大い上に、美観が重視されるので、軟質細パイプ３が目立たぬように取付先係合部１である皿立ての両下辺に凹部１９を設け、その内空部の左右から、相対するように細パイプ挿入棒部２を突設し、それに軟質細パイプ３を挿着させたものとした。当然ながら全軟質細パイプ３の下方周辺部は皿立て自体よりも下方に露出するように構成する必要がある。【００２８】  前出の写真立ても、またこの大皿用の皿立てでも、基本的な構成についてのみ説明したが、前述の太さの異なる細い軟質細パイプ３ａと太い軟質細パイプ３ｂとを組合せて用いたり、太い軟質細パイプ３ｂを配設した方を傾斜する下方側として傾斜面上に載置させたりするなどは、これらの場合でも実施し得ることは言うまでもない。【００２９】  次に、先願例のある炊飯器利用の蒸し器を固設対象品として詳述する。
図１０に見るような炊飯器の蓋体４の図示し得ない蒸気排出口上に載置し、炊飯時の排出蒸気を利用するために、被蒸し物５を収容するための、少なくとも炊飯器の蓋体４の蒸気排出口に対応する蒸気導入口６を有する図９に示すような受け皿体７と、蒸気廃棄口８を有する上蓋９とで成る蒸し器１０において、図５に示すように、受け皿体７の裏面に、略中央にある蒸気導入口６の周囲から複数本の軟質細パイプ３を放射状に配設して成ることを特徴とする炊飯器利用の蒸し器を基本構成とする。【００３０】  そして、具体的には軟質細パイプ３を、略同一平面上で、かつ、均等間隔で放射状に配設させるように、蒸気導入口６を形成する取付先係合部１の外周から、同一平面上を均等間隔で放射状に突出する細パイプ挿入棒部２を複数設けると共に、受け皿体７に、該受け皿体７の裏面から取付先係合部１を嵌着したものとした。
取付先係合部１は、図７に示すように、その輪体部１１を、受け皿体７の蒸気導入口６に嵌着させた後に、抜け難いよう上方に向かって外径が大きくなるように形成した。【００３１】  加えて、軟質細パイプ３の外径を、前述した少なくとも大小２種の如く異にし、輪体部１１を挟んで一方側に細い軟質細パイプ３ａを、反対側には太い軟質細パイプ３ｂを配設させたものとする。大小２種であるから、軟質細パイプ３を挿入する細パイプ挿入棒部２の必要本数は偶数本となり、図５及び図６に示したものは、最少本数の４本である。
なお、各図共に軟質細パイプ３は、全て透明材を採用したものとして描いてある。【００３２】  また、太い軟質細パイプ３ｂは、予め細い軟質細パイプ３ａを細パイプ挿入棒部２に挿入させた上に、重ねて挿入できる内径のものとし、細い軟質細パイプ３ａを内在した二重構成とするとよい。その際、細い軟質細パイプ３ａの長さは短目にするもよい。
また、軟質細パイプ３の材質については、シリコーン系合成樹脂製としたものが、柔軟性や摩擦性上で最も好ましい。その他の各部品の素材はポリプロピレンを採用した。【００３３】  受け皿体７の中には、図９に示すような落し入れる平板状網体１２を有したものとするが、図示のものは便宜上金網状に描いたものであって、実物は多数の小さな矩形孔を有した合成樹脂製の薄板とした。【００３４】  また、受け皿体７裏面には、図５に見るように細パイプ挿入棒部２の各先端よりも、受け皿体７の周辺部に近い方に、各軟質細パイプ３を僅かに押して曲げ下げ得るよう小突出部分１３を一周して設けるのも、受け皿体７の底面の補強を兼ね好ましいと言える。
【発明の効果】
【００３５】  この発明の最大の効果は、相当大きく傾斜している坂面上に載置しても、滑り難いということにある。その理由は、複数本の軟質細パイプ３を用いたことによる。加えて、その効果を更に高め得るのは、軟質細パイプ３を、取付物品の重心点なり、それに近いこの発明である滑動防止部材の中心点から放射状に配置したことによる。【００３６】  すなわち、取付物品を含めた重量が、複数本の軟質細パイプ３に分散されて掛かるが、本数の少ない程１本当りの荷重が重くなる理屈であり、軟質細パイプ３が略重心点を通って放射状に配置されたことによる効果も大きいのである。その他にも軟質細パイプ３が軟かくて、その接地する部分が荷重を掛けると扁平状となり接地面積を増す作用があるし、荷重に対して反発する弾力性を有することから、微細な振動、例えば小地震を吸収する機能を有しているなど後述する数々の効果的な作用と共に滑動防止力を高めるからである。【００３７】  軟質細パイプ３を放射状に配置することによる効果とは、荷重の掛かる方向によってより強く現れるもので、傾斜面上での物体は重力で低い方へ移動しようとするから、下降傾斜面上にて、軟質細パイプ３が平行に配置されているとすれば、スキーが下降するように抵抗が小さく滑りやすくなり、軟質細パイプ３の平行が下降傾斜面に対し直角に配置されていれば、今度は前方の軟質細パイプ３を軸線として転倒しやすくなる。この点、下降傾斜面上に対しＹ字又はハ字状に開いた方を下方側とすれば、重力によって下降しようとする力は分力化されるから、転倒も下降もしなくなり滑り難くなるのである。【００３８】  因みに、この発明の滑動防止部材を、取付物品である蒸し器に設けたものを、平板上に置いて実験して見た結果を示そう。蒸し器の重量は１３０ｇで、１個６０ｇの生卵６個を蒸し器内に入れて総重量を４９０ｇとしたものを用い、滑動防止部材を取り付けたものと取外したものとを、平板上に載せて平板を徐々に傾斜させた時の滑動開始角度を調べた結果、その滑動防止部材を取外したものは１５°で滑動し始めたが、滑動防止部材を取り付けたものは４５°で、やっと滑動し始めた。【００３９】  なお、参考に上記傾斜面上を、同じ軟質細パイプ３を用いて平行に配置させたもので調べたら、３０°で滑動を始め、下降傾斜面に対し直角に配置したものは、同じく３０°で滑り始めるが、直ぐ停まったり滑ったりを繰り返して下降して行った。
このように、ハ字状に開いた方を下方側とすれば、非常に大きな違いの滑り防止効果を発揮することが数値として分かる。【００４０】  この大きな効果は、軟質細パイプ３が柔らかく弾性があるので、粘性があるようになって摩擦が増え滑り難くなるのである。なお、取付物品が１ｋｇ未満なら軟質細パイプ３の本数を多くする必要はなく４本で十分であるから構成も簡単である。
勿論、取付物品が椅子などの場合は、４本でも前述したように軟質細パイプ３の肉厚や外径を、それなりに大きくすればよいことは言うまでもなかろう。【００４１】  また、細パイプ挿入棒部２の断面形状も効果を得る要因の一つである。細パイプ挿入棒部２が丸棒体であっても滑動防止効果はあるが、断面形状がこの発明のように平たく薄い矩形であるために、内径を拡げながら挿入着した軟質細パイプ３の両側面部分は密着するが、軟質細パイプ３の内周壁と、薄板の細パイプ挿入棒部２の上面及び下面との間に、ほんの僅かでも隙間を有するようになるから、微動荷重を受けた時、その微動荷重の吸収効果があって、結果として滑り防止効果によい結果をもたらすものと考えられるのである。【００４２】  更に、軟質細パイプ３の外径を、少なくとも大小異にし、取付先係合部１を挟んで一方側に細い軟質細パイプ３ａを、反対側には太い軟質細パイプ３ｂを配設させたものとし、傾斜している場所、例えば前述の炊飯器の蓋体４上の湾曲面に載置する際には、太い軟質細パイプ３ｂ側を低い方に、細い軟質細パイプ３ａを高い方として置くことにより、この発明の滑動防止部材自体が僅かとは言え傾斜を吸収できるし、前述のハ字状に開いた場合の作用効果と共に、太い軟質細パイプ３ｂ側が、より荷重を負担するから動き難くなる。【００４３】  しかも、太い軟質細パイプ３ｂを、細パイプ挿入棒部２に挿入させた細い軟質細パイプ３ａを中にして重ねて挿入したものとすれば、太い軟質細パイプ３ｂの直径を得るのに、同質一体物とは違って細い軟質細パイプ３ａとの間に空気が入り込むから、微妙なクッションを生ずることになって僅かな振動を吸収しやすくなり、結果として滑り難くなる効果が得られるのである。【００４４】  更に、炊飯器利用の蒸し器１０の場合においては、図５に見るようにその受け皿体７の周辺部に近い方に、各軟質細パイプ３を僅かに押して曲げ下げ得るような小突出部分１３を設けたものとすれば、前述した如く受け皿体７の底面の補強と共に、軟質細パイプ３の外周面上に当接し、軟質細パイプ３の先端を下方に僅か湾曲させる作用を生ずるので、このことも微妙なクッション役を生むことに加担するようになり好ましい。【００４５】  以上、この発明の取付物品の滑動防止部材の要部を主体にその効果を説明したが、炊飯器利用の蒸し器１０においては、先行技術でも指摘している容器外への水滴漏れも、この発明の受け皿体７でも、その内底面に裏側から密接嵌着して突出する取付先係合部１の輪体部１１が障壁となって、水滴は受け皿体７の内底面上に留まり蒸散するから心配ない。
【図面の簡単な説明】
【００４６】
【図１】この発明を利用した一つである脚状体を有する家庭用品用とした実施例の斜視図である。
【図２】図１の軟質細パイプを、細パイプ挿入棒部から離脱させた状態で示した斜視図である。
【図３】この発明を利用した一つであるスタンド状小物家庭用品用としたもので、軟質細パイプを、Ｙ字状に配設する構成とした実施例の斜視図である。
【図４】この発明を利用した一つである折合わせた状態の大皿用の皿立てを、取付先係合部自体として軟質細パイプを下辺部に配設した実施例の側面図である。
【図５】この発明を利用した一つである炊飯器利用の蒸し器の裏面に、取付先係合部を固設した実施例の裏面図である。
【図６】図５の取付先係合部の平面図である。
【図７】図５の取付先係合部の側面図である。
【図８】図７の取付先係合部に、軟質細パイプをそれぞれ挿着させた使用状態で示した側面図である。
【図９】この発明を利用した一つである実施例の炊飯器利用の蒸し器を、分解状態で示した斜視図である。
【図１０】この発明を利用した一つである実施例の炊飯器利用の蒸し器を、使用状態として示した正面図である。
【発明を実施するための形態】
【００４７】  この発明は、家庭用品類の下部に固設又は載置して用いる取付物品の滑動防止部材であるゆえ、その取付先の形状によって、取付先係合部１の形状も異なることは前述した。
したがって、その取付先係合部１が脚を有する家庭用品の脚先の場合は、図１に示した脚体の脚先に嵌着する大きさと形状とした凹部１４を有するものとし、写真立てや皿立てなどのスタンド台用のものは図３又は図４に見るようなものとなる。いずれも、取付先の形状に合わせた寸法となるから、ここでの具体的構成や寸法は記載できない。
【００４８】  したがって、取付先係合部１を除いて、後述する蒸し器１０の場合も含め共通的な要部である軟質細パイプ３と細パイプ挿入棒部２の実施形態について説明する。
ただし、これらの配置は、取付先係合部１の凹部１４の形状が方形の場合は取付先係合部１の底裏に、取付先係合部１の中心から４方へ対角線上を放射状に細パイプ挿入棒部２を取付先係合部１とは一体として突出させたものとなる。凹部１４の形状が円形なら円の中心を通って４方へ放射状とすることは当然である。
【００４９】  蒸し器１０の場合は、その受け皿体７の底にある蒸気導入口６の中心を横切って４方へ放射状とする。なお、図３のスタンド台用ならＹ字状になるよう配置する。
次に、細パイプ挿入棒部２について詳述する。細パイプ挿入棒部２は、厚さ２ｍｍで上述した各取付先係合部１から幅５．５ｍｍの長さ２４ｍｍとし、軟質細パイプ３を挿入し易いように先端を半円状にしたものとする。
【００５０】  上記の細パイプ挿入棒部２を、Ｙ字状のものは３本で、内２本はハ字状に適宜な角度で設け、残る１本をハ字状に開いたその結合点を通る中心線上を後方に向けて設ける。
その他のものは４本を均等間隔で放射状に形成させたものとする。
なお、取付先係合部１が長方形や長楕円形のような場合は前後の２本同士は均等間隔で、その前後両者間隔を異にするもよいだろう。なおまた、材質には拘らないが、ポリプロピレン製とした。
【００５１】  軟質細パイプ３は、異なる太さの２種として説明する。材質はシリコーン樹脂製とし、細い軟質細パイプ３ａは、内径４ｍｍ、外径６ｍｍ、長さを３３ｍｍとし、太い軟質細パイプ３ｂは、内径７ｍｍ、外径１０ｍｍ、長さを４５ｍｍとした。
【００５２】  なお、長さはそれぞれ多少異なっても構わないし、前述したように、細い軟質細パイプ３ａに重ねて太い軟質細パイプ３ｂを被せ用いるときは、その細い軟質細パイプ３ａを短く切断して用いればよいので便利である。
【００５３】  次に、この発明を利用するものの一つである蒸し器１０について説明する。蒸し器１０は、その全体の材質を合成樹脂製とし、その素材は軟質細パイプ３をシリコーン樹脂とする他は、全てをポリプロピレン系樹脂として成形したもので成り立っている。
当然ながら図９に見るように、上蓋９の一隅には小さな矩形の蒸気廃棄口８が３個まとまって並び、中央には摘み部２０を有し、下辺は全周に亘ってフランジ２１を有して、受け皿体７の開口部を形成する上辺の内側に嵌るための図示されない延長辺があり、全体として透明か半透明とした。
【００５４】  平板状網体１２は、前述した矩形状の小孔群を有したもので特に説明の要はなかろう。
受け皿体７は、中央に取付先係合部１の輪体部１１を嵌着させるための円孔があり図９では嵌着させた状態で示した。円孔の大きさは当然ながら炊飯器の蓋体４の開口部大で、上辺全周に亘ってフランジ２１を有して、上蓋９のフランジ２１と重なるようにする。
【００５５】  また、内部の底は平板状網体１２を落し入れる広さとして、底裏には、図５及び図８に示し前述した僅かに凸となる小突出部分１３を有したものとする。
以上が所謂容器であるが、寸法に拘ることはないが、一辺が約１５０ｍｍ正方形で、上蓋６の高さを５０ｍｍ、受け皿体７は白色で深さを３０ｍｍとした。
【００５６】  次に、この発明の蒸し器１０の取付先係合部１を、図６及び図７にて説明すると、蒸気導入口６は直径４８ｍｍとして輪体部１１の内径となり、この輪体部１１は上方に向かって外径が僅かに大となるようにした上辺部の外径を５７ｍｍとし、下方の細パイプ挿入棒部２を複数本有する外径６４ｍｍ、厚さ２ｍｍの円板状部２２とは一体成形品とした。
【００５７】  図例の細パイプ挿入棒部２と軟質細パイプ３の実施形態については、上述したので省略するが、因みに細パイプ挿入棒部２の多いものも試したが効果に大きな差がないので４本で十分と思われる。尤も、被蒸し物５の荷重によっては多くするもよい。
【００５８】  以上、この発明の取付物品の滑動防止部材は、比較的部品点数も少ないし、滑り止め効果が大きいので、色々な物品に適用でき、蒸し器１０に採用したものは、上蓋の湾曲している炊飯器でも滑らず、便利な蒸し器１０となって産業上有益な発明である。
【符号の説明】
【００５９】  １  取付先係合部
２  細パイプ挿入棒部
３  軟質細パイプ
３ａ  細い軟質細パイプ
３ｂ  太い軟質細パイプ
４  炊飯器の蓋体
５  被蒸し物
６  蒸気導入口
７  受け皿体
８  蒸気廃棄口
９  上蓋
１０  蒸し器
１１  輪体部
１２  平板状網体
１３  小突出部分
【図１】
2012035023.tif 000003
【図２】
2012035023.tif 000004
【図３】
2012035023.tif 000005
【図４】
2012035023.tif 000006
【図５】
2012035023.tif 000007
【図６】
2012035023.tif 000008
【図７】
2012035023.tif 000009
【図８】
2012035023.tif 000010
【図９】
2012035023.tif 000011
【図１０】
2012035023.tif 000012